(57)【要約】  呼確立を制御する装置および方法が説明される。ユーザ機器(UE)が呼を確立することを決定することができる。一態様では、UEはワイヤレスローカルエリアネットワーク(WLAN)アクセスノードを検出し、ワイヤレスワイドエリアネットワーク(WWAN)アクセスノードから、WWAN負荷関連情報を受信することができる。UE呼確立規則に基づいて、かつWWAN負荷関連情報に基づいて、UEは、その呼をWWANアクセスノードにおいて確立するか、WLANアクセスノードにおいて確立するかを判断することができる。別の態様では、UEは、WLANアクセスノードから受信された信号に関連付けられるWLANアクセスノード特性を求めることができる。UEは、WLANアクセスノード特性を含む呼確立要求をWWANアクセスノードに転送することができる。UEは、呼確立要求をWLANアクセスノードにリダイレクトするためのリダイレクションコマンドを受信することができる。
2015534421.tif 000002
【特許請求の範囲】
【請求項１】
呼確立を制御する方法であって、
ユーザ機器において、呼を確立することを決定するステップと、
ワイヤレスローカルエリアネットワーク(WLAN)アクセスノードを検出するステップと、
ワイヤレスワイドエリアネットワーク(WWAN)アクセスノードから、WWAN負荷関連情報を受信するステップと、
ユーザ機器呼確立規則に基づいて、かつ前記WWAN負荷関連情報に基づいて、前記呼を前記WWANアクセスノードにおいて確立するか、前記WLANアクセスノードにおいて確立するかを判断するステップとを含む、呼確立を制御する方法。
【請求項２】
前記負荷関連情報を受信するステップは、DLリソース利用率、UP雑音上昇もしくは負荷率、DL/ULスループットパラメータ、現在のユーザ数パラメータ、利用可能電力値、およびいくつかの主同期コードのうちの少なくとも1つを受信するステップをさらに含む、請求項1に記載の方法。
【請求項３】
前記負荷関連情報を受信するステップは、相対負荷インジケータのうちの少なくとも1つを受信するステップをさらに含む、請求項1に記載の方法。
【請求項４】
前記相対負荷インジケータを受信するステップは、低インジケータ、中インジケータおよび高インジケータを受信するステップを含む、請求項3に記載の方法。
【請求項５】
前記負荷関連情報を受信するステップは、単一ビットを受信するステップをさらに含み、前記単一ビットの値は負荷状態または無負荷状態を指示する、請求項1に記載の方法。
【請求項６】
前記負荷関連情報を受信するステップは、前記WWANアクセスノードにおける負荷関連情報に基づいて時間とともに変化する動的インジケータを受信するステップをさらに含む、請求項1に記載の方法。
【請求項７】
前記負荷関連情報を受信するステップは、前記WLANアクセスノードで前記呼を確立することを指示するコマンドを受信するステップをさらに含む、請求項1に記載の方法。
【請求項８】
前記WWANアクセスノードにおいて前記呼を確立するか否かを判断するステップは、前記負荷関連情報がセルラー負荷しきい値を満たすか否かを判断するステップと、前記WWAN負荷関連情報が前記セルラー負荷しきい値を満たすか否かに基づいて、前記呼を前記WWANアクセスノードで確立するか、または確立しないステップとをさらに含む、請求項1に記載の方法。
【請求項９】
WLAN負荷情報を入手するステップと、
前記WLAN負荷関連情報がWLAN負荷しきい値を満たすか否かを判断するステップとをさらに含み、
前記呼を前記WWANアクセスノードにおいて確立するか、前記WLANアクセスノードにおいて確立するかを判断するステップは、前記WWAN負荷関連情報が前記セルラー負荷しきい値を満たすか否かに基づいて、かつ前記WLAN負荷関連情報が前記WLAN負荷しきい値を満たすか否かに基づいて、前記呼を前記WWANアクセスノードで確立するか、または確立しないステップをさらに含む、請求項8に記載の方法。
【請求項１０】
WWAN品質情報およびWLAN品質情報を入手するステップと、
前記WWAN品質情報および前記WLAN品質情報がそれぞれWWAN品質しきい値およびWLAN品質しきい値を満たすか否かを判断するステップとをさらに含み、
前記呼を前記WWANアクセスノードにおいて確立するか、前記WLANアクセスノードにおいて確立するかを判断するステップは、前記WWAN品質情報および前記WLAN品質情報がそれぞれ前記WWAN品質しきい値および前記WLAN品質しきい値を満たすか否かに基づいて、前記呼を前記WWANアクセスノードにおいて確立するか、または確立しないステップをさらに含む、請求項8に記載の方法。
【請求項１１】
前記ユーザ機器呼確立規則に基づいて判断するステップは、セルごとに、UEごとに、またはサービスごとに判断するステップを含む、請求項1に記載の方法。
【請求項１２】
前記呼を確立することを決定するステップは、前記ユーザ機器がアイドルモードにあるときにパケット交換呼を確立することを決定するステップか、または前記ユーザ機器が接続モードにあるときに既存の呼を切り替え、および/または新たな呼を確立することを決定するステップをさらに含む、請求項1に記載の方法。
【請求項１３】
呼確立を制御するためのコンピュータプログラムであって、
コンピュータに、
ユーザ機器において呼を確立することを決定することと、
ワイヤレスローカルエリアネットワーク(WLAN)アクセスノードを検出することと、
ワイヤレスワイドエリアネットワーク(WWAN)アクセスノードから、WWAN負荷関連情報を受信することと、
ユーザ機器呼確立規則に基づいて、かつ前記WWAN負荷関連情報に基づいて、前記呼を前記WWANアクセスノードにおいて確立するか、前記WLANアクセスノードにおいて確立するかを判断することとを行わせるためのコードを含む、呼確立を制御するためのコンピュータプログラム。
【請求項１４】
呼確立を制御するための装置であって、
ユーザ機器において、呼を確立することを決定するための手段と、
ワイヤレスローカルエリアネットワーク(WLAN)アクセスノードを検出するための手段と、
ワイヤレスワイドエリアネットワーク(WWAN)アクセスノードから、WWAN負荷関連情報を受信するための手段と、
ユーザ機器呼確立規則に基づいて、かつ前記WWAN負荷関連情報に基づいて、前記呼を前記WWANアクセスノードにおいて確立するか、前記WLANアクセスノードにおいて確立するかを判断するための手段とを備える、呼確立を制御するための装置。
【請求項１５】
呼確立を制御するための装置であって、
ユーザ機器において、呼を確立することを決定するように構成される呼確立構成要素と、
ワイヤレスローカルエリアネットワーク(WLAN)アクセスノードを検出し、
ワイヤレスワイドエリアネットワーク(WWAN)アクセスノードから、WWAN負荷関連情報を受信するように構成されるアクセスノード検出器と、
ユーザ機器呼確立規則に基づいて、かつ前記WWAN負荷関連情報に基づいて、前記呼を前記WWANアクセスノードにおいて確立するか、前記WLANアクセスノードにおいて確立するかを判断するように構成される無線アクセス技術(RAT)決定器とを備える、呼確立を制御するための装置。
【請求項１６】
前記負荷関連情報を受信するように構成される前記アクセスノード検出器は、DLリソース利用率、UP雑音上昇もしくは負荷率、DL/ULスループットパラメータ、現在のユーザ数パラメータ、利用可能電力値、およびいくつかの主同期コードのうちの少なくとも1つを受信するように構成される前記アクセスノード検出器をさらに備える、請求項15に記載の装置。
【請求項１７】
前記負荷関連情報を受信するように構成される前記アクセスノード検出器は、相対負荷インジケータのうちの少なくとも1つを受信するように構成されるアクセスノード検出器をさらに備える、請求項15に記載の装置。
【請求項１８】
前記相対負荷インジケータを受信するように構成される前記アクセスノード検出器は、低インジケータ、中インジケータおよび高インジケータを受信するように構成される前記アクセスノード検出器をさらに備える、請求項17に記載の装置。
【請求項１９】
前記負荷関連情報を受信するように構成される前記アクセスノード検出器は、単一ビットを受信するように構成される前記アクセスノード検出器をさらに備え、前記単一ビットの値は負荷状態または無負荷状態を指示する、請求項15に記載の装置。
【請求項２０】
前記負荷関連情報を受信するように構成される前記アクセスノード検出器は、前記WWANアクセスノードにおける負荷関連情報に基づいて時間とともに変化する動的インジケータを受信するように構成される前記アクセスノード検出器をさらに備える、請求項15に記載の装置。
【請求項２１】
前記負荷関連情報を受信するように構成される前記アクセスノード検出器は、前記WLANアクセスノードで前記呼を確立することを指示するコマンドを受信するように構成される前記アクセスノード検出器をさらに備える、請求項15に記載の装置。
【請求項２２】
前記呼を前記WWANアクセスノードにおいて確立するか、前記WLANアクセスノードにおいて確立するかを判断するように構成される前記RAT決定器は、前記負荷関連情報がセルラー負荷しきい値を満たすか否かを判断し、前記WWAN負荷関連情報が前記セルラー負荷しきい値を満たすか否かに基づいて、前記WWANアクセスノードで前記呼を確立するか、または確立しないように構成される前記RAT決定器をさらに備える、請求項15に記載の装置。
【請求項２３】
前記アクセスノード検出器は、WLAN負荷情報を入手し、前記WLAN負荷関連情報がWLAN負荷しきい値を満たすか否かを判断するようにさらに構成され、
前記呼を前記WWANアクセスノードにおいて確立するか、前記WLANアクセスノードにおいて確立するかを判断するように構成される前記RAT決定器は、前記WWAN負荷関連情報が前記セルラー負荷しきい値を満たすか否かに基づいて、かつ前記WLAN負荷関連情報が前記WLAN負荷しきい値を満たすか否かに基づいて、前記呼を前記WWANアクセスノードで確立するか、または確立しないように構成される前記RAT決定器をさらに備える、請求項22に記載の装置。
【請求項２４】
前記アクセスノード検出器は、WWAN品質情報およびWLAN品質情報を入手し、前記WWAN品質情報および前記WLAN品質情報がそれぞれWWAN品質しきい値およびWLAN品質しきい値を満たすか否かを判断するようにさらに構成され、
前記呼を前記WWANアクセスノードにおいて確立するか、前記WLANアクセスノードにおいて確立するかを判断するように構成される前記RAT決定器は、前記WWAN品質情報および前記WLAN品質情報がそれぞれ前記WWAN品質しきい値および前記WLAN品質しきい値を満たすか否かに基づいて、前記呼を前記WWANアクセスノードにおいて確立するか、または確立しないように構成される前記RAT決定器をさらに備える、請求項22に記載の装置。
【請求項２５】
ユーザ機器呼確立規則に基づいて判断するように構成される前記RAT決定器は、セルごとに、UEごとに、またはサービスごとに判断するように構成される前記RAT決定器を備える、請求項15に記載の装置。
【請求項２６】
前記呼を前記WWANアクセスノードにおいて確立するか、前記WLANアクセスノードにおいて確立するかを判断するように構成される前記RAT決定器は、前記ユーザ機器がアイドルモードにあるときにパケット交換呼を確立するように構成されるか、または前記ユーザ機器が接続モードにあるときに既存の呼を切り替え、および/または新たな呼を確立するように構成される前記RAT決定器をさらに備える、請求項15に記載の装置。
【発明の詳細な説明】
【技術分野】
【０００１】
米国特許法第119条に基づく優先権の主張
本特許出願は、本出願の譲受人に譲渡され、2012年11月14日に出願された「APPARATUS AND METHODS OF CONTROLLING CALL ESTABLISHMENT」と題する米国仮出願第61/726,400号の優先権を主張する。
【０００２】
本開示の態様は、一般に、ワイヤレス通信システムに関し、より詳細には、呼確立を制御する装置および方法に関する。
【背景技術】
【０００３】
電話、ビデオ、データ、メッセージング、放送などの様々な通信サービスを提供するために、ワイヤレス通信ネットワークが広範囲に展開されている。そのようなネットワークは、たいていは多元接続ネットワークであり、利用可能なネットワークリソースを共有することによって、複数のユーザ向けの通信をサポートする。そのようなネットワークの一例は、UMTS Terrestrial Radio Access Network(UTRAN)である。UTRANは、第3世代パートナーシッププロジェクト(3GPP)によってサポートされる第3世代(3G)モバイルフォン技術である、Universal Mobile Telecommunications System(UMTS)の一部として定義される無線アクセスネットワーク(RAN)である。UMTSは、Global System for Mobile Communications(GSM（登録商標）)技術の後継であり、広帯域符号分割多元接続(W-CDMA)、時分割符号分割多元接続(TD-CDMA)、および時分割同期符号分割多元接続(TD-SCDMA)などの様々なエアインターフェース規格を現在サポートしている。UMTSは、関連するUMTSネットワークのデータ転送の速度および容量を向上させる高速パケットアクセス(HSPA)のような拡張3Gデータ通信プロトコルもサポートする。
【０００４】
セルラーもしくはワイヤレスワイドエリアネットワーク(WWAN)基地局またはノードBのような無線アクセスネットワーク(RAN)ノードは、トラフィックをサポートすることができる、WiFiまたはワイヤレスローカルエリアネットワーク(WLAN)アクセスポイントのような別の無線アクセス技術(RAT)アクセスノードにトラフィックをオフロードすることが望ましい場合がある。既存の解決策は、アクセスネットワークドメイン選択機能(ANDSF)と呼ばれるネットワークアクセス層(NAS)に基づく機能と、上位層/オペレーティングシステム(OS)に基づく機能とを含む。そのような既存の解決策は、呼確立のための固定された規則に基づいて判断を行う。
【０００５】
その場合、そのような従来のシステムでは、アイドルUEに、セルラーアクセスポイントではなく、たとえば、WiFiアクセスポイントを用いて新たなパケット交換(PS)呼を確立するように指示するために、セルラーネットワークにキャップオンしているアイドルUEを、セルラーRAN内から制御することはできない。たとえば、UMTS内で何らかの再選択状態にあるUEの場合にも同様の問題が存在する。言い換えると、可能なときに、RANノードから新たに確立された呼に関連する新たなトラフィックをオフロードするために、非セルラーベースのアクセスポイントを用いて呼を確立するようにUEに動的に指示することはできない。
【発明の概要】
【発明が解決しようとする課題】
【０００６】
したがって、呼確立を改善することが望ましい。
【課題を解決するための手段】
【０００７】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００８】
一態様では、呼確立を制御する方法が説明される。その方法は、ユーザ機器において、呼を確立することを決定することを含むことができる。その方法は、ワイヤレスローカルエリアネットワーク(WLAN)アクセスノードを検出することを含むことができる。その方法は、ワイヤレスワイドエリアネットワーク(WWAN)アクセスノードから、WWAN負荷関連情報を受信することを含むことができる。その方法は、ユーザ機器呼確立規則に基づいて、かつWWAN負荷関連情報に基づいて、呼をWWANアクセスノードにおいて確立するか、WLANアクセスノードにおいて確立するかを判断することを含むことができる。
【０００９】
一態様では、呼確立を制御するためのコンピュータプログラム製品が説明される。そのコンピュータプログラム製品は、コードを含むコンピュータ可読媒体を含むことができる。そのコードによって、コンピュータは、ユーザ機器において、呼を確立することを決定することができる。そのコードによって、コンピュータは、ワイヤレスローカルエリアネットワーク(WLAN)アクセスノードを検出することができる。そのコードによって、コンピュータは、ワイヤレスワイドエリアネットワーク(WWAN)アクセスノードから、WWAN負荷関連情報を受信することができる。そのコードによって、コンピュータは、ユーザ機器呼確立規則に基づいて、かつWWAN負荷関連情報に基づいて、呼をWWANアクセスノードにおいて確立するか、WLANアクセスノードにおいて確立するかを判断することができる。
【００１０】
一態様では、呼確立を制御するための装置が説明される。その装置は、ユーザ機器において、呼を確立することを決定するための手段を含むことができる。その装置は、ワイヤレスローカルエリアネットワーク(WLAN)アクセスノードを検出するための手段を含むことができる。その装置は、ワイヤレスワイドエリアネットワーク(WWAN)アクセスノードから、WWAN負荷関連情報を受信するための手段を含むことができる。その装置は、ユーザ機器呼確立規則に基づいて、かつWWAN負荷関連情報に基づいて、呼をWWANアクセスノードにおいて確立するか、WLANアクセスノードにおいて確立するかを判断するための手段を含むことができる。
【００１１】
一態様では、呼確立を制御するための装置が説明される。その装置は、ユーザ機器において、呼を確立することを決定するように構成される呼確立構成要素を含むことができる。その装置は、ワイヤレスローカルエリアネットワーク(WLAN)アクセスノードを検出し、ワイヤレスワイドエリアネットワーク(WWAN)アクセスノードから、WWAN負荷関連情報を受信するように構成されるアクセスノード検出器を含むことができる。その装置は、ユーザ機器呼確立規則に基づいて、かつWWAN負荷関連情報に基づいて、呼をWWANアクセスノードにおいて確立するか、WLANアクセスノードにおいて確立するかを判断するように構成される無線アクセス技術(RAT)決定器を含むことができる。
【００１２】
一態様では、呼確立を制御する方法が説明される。その方法は、呼を確立することを決定することを含むことができる。その方法は、WLANアクセスノードから受信された信号に関連付けられるワイヤレスローカルエリアネットワーク(WLAN)アクセスノード特性を判断することを含むことができる。その方法は、WLANアクセスノード特性を含む呼確立要求をワイヤレスワイドエリアネットワーク(WWAN)アクセスノードに転送することを含むことができる。その方法は、呼確立要求をWLANアクセスノードにリダイレクトするためのリダイレクションコマンドを受信することを含むことができる。
【００１３】
一態様では、呼確立を制御するためのコンピュータプログラム製品が説明される。そのコンピュータプログラム製品は、コードを含むコンピュータ可読媒体を含むことができる。そのコードによって、コンピュータは、呼を確立することを決定することができる。そのコードによって、コンピュータは、WLANアクセスノードから受信された信号に関連付けられるワイヤレスローカルエリアネットワーク(WLAN)アクセスノード特性を判断することができる。そのコードによって、コンピュータは、WLANアクセスノード特性を含む呼確立要求をワイヤレスワイドエリアネットワーク(WWAN)アクセスノードに転送することができる。そのコードによって、コンピュータは、呼確立要求をWLANアクセスノードにリダイレクトするためのリダイレクションコマンドを受信することができる。
【００１４】
一態様では、呼確立を制御するための装置が説明される。その装置は、呼を確立することを決定するための手段を含むことができる。その装置は、WLANアクセスノードから受信された信号に関連付けられるワイヤレスローカルエリアネットワーク(WLAN)アクセスノード特性を判断するための手段を含むことができる。その装置は、WLANアクセスノード特性を含む呼確立要求をワイヤレスワイドエリアネットワーク(WWAN)アクセスノードに転送するための手段を含むことができる。その装置は、呼確立要求をWLANアクセスノードにリダイレクトするためのリダイレクションコマンドを受信するための手段を含むことができる。
【００１５】
一態様では、呼確立を制御するための装置が説明される。その装置は、呼を確立することを決定するように構成される呼確立構成要素を含むことができる。その装置は、WLANアクセスノードから受信された信号に関連付けられるワイヤレスローカルエリアネットワーク(WLAN)アクセスノード特性を判断するように構成されるアクセスノード検出器を含むことができる。また、呼確立構成要素は、WLANアクセスノード特性を含む呼確立要求をワイヤレスワイドエリアネットワーク(WWAN)アクセスノードに転送し、呼確立要求をWLANアクセスノードにリダイレクトするためのリダイレクションコマンドを受信するように構成することもできる。
【００１６】
上記のおよび関連の目的を達成するために、1つまたは複数の態様は、以下で十分に説明され、特許請求の範囲で具体的に指摘される特徴を含む。以下の説明および添付の図面は、1つまたは複数の態様のいくつかの例示的な特徴を詳細に説明する。しかしながら、これらの特徴は、種々の態様の原理が使用される場合がある種々の方法のうちのいくつかを示すものにすぎず、この説明は、そのようなすべての態様およびそれらの均等物を含むことを意図している。
【図面の簡単な説明】
【００１７】
【図１】本明細書において説明されるような、サーチャ構成要素の一態様を有するユーザ機器(UE)を含むワイヤレス通信システムの概略図である。
【図２】本明細書において説明されるような、サーチャ構成要素の一態様を有するUEによって実行される呼確立を制御する方法の一態様の流れ図である。
【図３】本明細書において説明されるような、サーチャ構成要素の一態様を有するUEによって実行される呼確立を制御する方法の別の態様の流れ図である。
【図４】本明細書において説明される呼確立制御構成要素を含む処理システムを利用する装置のためのハードウェア実施態様の一例を示す図である。
【図５】本明細書において説明される呼確立制御構成要素を有するUEおよび/またはノードBを含む電気通信システムの一例を示す図である。
【図６】本明細書において説明される呼確立制御構成要素を有するUEおよび/またはノードBを含むアクセスネットワークの一例を示す図である。
【図７】本明細書において説明されるようなUEおよび/またはアクセスノードによって利用される場合があるユーザおよび制御プレーンのための無線プロトコルアーキテクチャの一例を示す図である。
【図８】ノードBおよびUEがそれぞれ図1のアクセスノードおよびUEと同じ、または類似である場合に、電気通信システム内のUEと通信するノードBの一例を概念的に示す図である。
【発明を実施するための形態】
【００１８】
添付の図面に関する下記の詳細な説明は、様々な構成の説明として意図されており、本明細書で説明される概念が実行され得る唯一の構成を表すように意図されているわけではない。詳細な説明は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１９】
本装置および方法は、ユーザ機器(UE)に、無線アクセスネットワーク(RAN)支援呼確立構成要素、および/または、たとえば、基地局および/またはノードBとすることができるセルラーまたはワイヤレスワイドエリアネットワーク(WWAN)アクセスノードにおける負荷関連情報に少なくとも部分的に基づいて呼確立手順を指示できるようにするアルゴリズムを与える。具体的には、本装置および方法の動作に基づいて、セルラーもしくはワイヤレスワイドエリアネットワーク(WWAN)アクセスノードにおいて、またはセルラーもしくはWWANアクセスノードにおける負荷関連情報に少なくとも部分的に基づいて呼をサポートすることができる、WiFiもしくはワイヤレスローカルエリアネットワーク(WLAN)アクセスノードのような異なる技術のアクセスノードにおいて、UEが呼を確立するように判断することができるか、またはUEに呼を確立するように指示することができる。本明細書において説明される装置および方法は、たとえば、アイドルモードにあり、セルラーまたはWWANアクセスノードにキャンプオンするUEのパケット交換(PS)呼確立を制御する際に有用な場合がある。また、本明細書において説明される装置および方法は、セルラーまたはWWANアクセスノードにおける負荷関連情報に少なくとも部分的に基づいて、既存の呼をWLANアクセスノードに切り替えること、またはWWANアクセスノードにおいて既存の呼を維持するが、WLANアクセスノードにおいて新たな呼を確立することを評価することによって、たとえば、WWANアクセスノードとの接続モードにあるUEに関連する呼確立を制御する際にも有用な場合がある。たとえば、一態様では、UEは、WWANアクセスノードにおける既存の呼(たとえば、ウェブブラウジングに関連する)を保持するが、WLANアクセスノードにおいて新たな呼(たとえば、VoIP(ボイスオーバインターネットプロトコル) 呼)を開始することができる。そのような場合に、いくつかの態様では、本装置および方法は、WWANアクセスノードにおける負荷に少なくとも部分的に基づいて、WLANアクセスノードで呼を設定することに決定することができるとき、セルラー/WWANアクセスノードを介しての無線ベアラの設定を回避することによって、現在の解決策に比べて効率的な解決策を提供することができる。
【００２０】
したがって、本装置および方法は、呼確立を制御する2つの機構を含み、それらの機構は、別々に、組み合わせて、および/または他の構成要素および機能とともに用いることができる。2つの機構は、(1)UEが接続性(RRC接続)要求を送信する前に、または(2)(RRC)接続設定中に、アイドルモードにあり、WWANアクセスノードにキャンプオンするUEによるパケット交換(PS)呼の確立を制御することを含む。
【００２１】
第1の事例は、たとえば、RAN支援ブロードキャスト情報に基づく、PS呼設定におけるWWAN(たとえば、セルラー)/WLAN(たとえば、WiFi)選択を含む。たとえば、アイドルモード(またはUMTSにおけるセル呼出チャネル(PCH)モード)にあるUEは、WWAN(たとえば、セルラー)またはWLAN(たとえば、WiFi)において新たなPS呼を設定し、既存の呼をWLANに切り替え、および/またはWLANアクセスノードでの確立のために新たな呼が評価される間に、WWAN上の既存の呼を維持するよう構成することができる。UEは、以下の要因のうちの1つまたは複数に基づいて、これらの態様のいずれかを実行することができる。(i)たとえば、ダウンリンク(DL)リソース利用(たとえば、電力、パーセント送信時間間隔(TTI)、同期コード、リソースブロック(RB)等)、アップリンク(UL)雑音上昇もしくは負荷率、および/またはDL/ULスループットに関して記述される場合がある現在の負荷、(ii)WLANの現在の負荷(または参照により本明細書に援用されるWiFi Alliance, https://www.wi-fi.org/knowledge-center/published-specificationsによって規定されるWiFi拡張標準規格であるHotspot(HS)2.0において規定される他の情報)、または代替的には、HS2.0パラメータに基づく何らかの最小WLANエントリ判定基準および/またはしきい値、(iii)1つまたは複数のWWAN無線周波数(RF)品質しきい値(たとえば、セルラーから離れるための最小値判定基準)、(iv)1つまたは複数のWLAN RF品質しきい値(たとえば、WiFiのための最小エントリ判定基準)、(v)WWAN/WLAN負荷および/または品質にかかわらず、(検出された場合には)WLANにおいて任意のPS呼を設定することを優先することを指示するフラグ、および(vi)たとえば、セルごと(全UE)、UEごと、および/またはサービスごとである場合がある、(WWANブロードキャスト負荷情報に基づいて)WLANにおいてPS呼を設定するか否かを判断するためのセルラー負荷しきい値のような、UEに記憶される規則またはポリシー。
【００２２】
一態様では、この解決策は、たとえば、PS呼設定中に、またはPS呼設定直後にWLANに移行することによりWWANへの接続を動的に回避することによって、シグナリング負荷およびデータ中断および/または待ち時間を少なくする際に有用な場合がある。たとえば、そのような動的な機能は、UE測定報告、および/またはネットワークハンドオーバおよび/またはオフロードコマンドを用いることによって実行することができる。別の態様では、この解決策によって、同じ機能を拡張して、多数のアイドルUEおよび/または接続されたUEに対応できるようになる場合がある。さらに、先に言及されたように、上記の解決策は、接続モードのUEに対して、たとえば、WWANからWLANにPS接続性を切り替えるようにUEをトリガするために用いることもできる。
【００２３】
第2の事例は、UEによってWWANアクセスノードに報告されたWLAN特性に基づいて、PS呼設定時に、たとえば、WWAN(たとえば、セルラー)からWLAN(たとえば、WiFi)にリダイレクトすることを含む。たとえば、WWANからWLANへの呼リダイレクション手順を用いて、無線リソース制御(RRC)および/またはPS呼設定時にWLANアクセスノードへの呼確立のオフロードを達成することができる。たとえば、この事例によれば、UEは、RRC接続要求においてWiFi測定(または他の情報、以下のTable 1(表1)を参照)を報告することができる。ネットワークからUEへのリダイレクションコマンド(たとえば、RRC接続拒否)は、目標WiFiアクセスポイント(AP)および/または他の情報(たとえば、最大WiFi探索時間、接続モードにおいてWWANに復帰するという指示など)を含むことができる。さらに、いくつかの態様では、そのようなリダイレクションコマンドは、ローカル規則および/またはポリシー(たとえば、ホームWiFiまたは他のユーザ設定を優先するなど)に基づいてUEによって拒否することができる。
【００２４】
以下のTable 1(表1)は、この第2の場合のRRC接続要求メッセージにおいてUEが報告することができる潜在的な情報要素(IE)の概要を記載する。
【００２５】
【表１】
2015534421.tif 000003
【００２６】
したがって、本装置および方法は、ユーザ機器(UE)に、無線アクセスネットワーク(RAN)支援呼確立構成要素、および/または、セルラーまたはワイヤレスワイドエリアネットワーク(WWAN)アクセスノードにおいて現在の負荷関連情報に少なくとも部分的に基づいて呼確立手順を動的に指示できるようにするアルゴリズムを提供する。
【００２７】
図1を参照すると、一態様では、ワイヤレス通信システム10は、セルラーまたはワイヤレスワイドエリアネットワーク(WWAN)アクセスノード18におけるWWAN負荷関連情報16に少なくとも部分的に基づいて、ユーザ機器(UE)12のための呼確立を制御するように構成される無線アクセスネットワーク(RAN)支援呼確立構成要素14を有するユーザ機器(UE)12を含む。本明細書において用いられるときに、「呼の確立を制御する」または「呼確立を制御する」という用語は、接続中に呼を搬送し、維持するために、アクセスノードとの接続の初期設定を制御することを指すことができる。その場合、本装置および方法は、UE12が、アイドルモードにあり、最初に呼を設定する準備をするときにUE12によって、および/または接続モードにあり、WWANアクセスノードにおける負荷に基づいて、WLANアクセスノードにおいて新たな呼を確立するか否かを評価するときにUE12によって、実施される場合がある。
【００２８】
たとえば、RAT支援呼確立構成要素14が、呼を確立する必要があることを判断するように構成される呼確立構成要素20を含むことができる。たとえば、UE12において実行されるアプリケーション(図示せず)が、ネットワーク、インターネット24のようなパケット交換ネットワーク、および/または公衆交換電話網(PSTN)26のような回線交換ネットワーク上の別のデバイスのような宛先と通信するために通信インターフェースにアクセスするための呼確立要求22を生成することができる。別の例では、呼または接続がすでに確立されているとき、呼確立要求22は、たとえば、起動された新たなアプリケーションに基づく、データ送信要求に関連することができるか、または既存の(現在実行されている)アプリケーションからの新たなデータ送信要求に関連することができる。いずれの場合でも、本装置および方法は、WLANアクセスノードで呼を設定するように決定できるときに、セルラー/WWANアクセスノードを介しての無線ベアラの設定を回避することによって、現在の解決策に比べて効率的な解決策を提供することができる。
【００２９】
さらに、RAN支援呼確立構成要素14は、呼を確立するために、WWANアクセスノード18およびWiFiまたはワイヤレスローカルエリアネットワーク(WLAN)アクセスノード30の両方の利用可能性および適切性を判断するように構成されるアクセスノード検出器28を含むことができる。
【００３０】
RAN支援呼確立構成要素14は、無線アクセス技術(RAT)決定器32も含むことができる。呼確立要求22に応答して、RAT決定器32は、WWAN負荷関連情報16に少なくとも部分的に基づいて、WWANアクセスノード18またはWLANアクセスノード30における呼確立を制御するように構成することができる。たとえば、一態様では、UE12は、WWANアクセスノード18からメッセージ38を受信することができ、メッセージ38はWWAN負荷関連情報16を含む。別の態様では、UE12は、いくつかの他のメッセージまたは指示などを受信して、検出または特定することによってWWAN負荷関連情報16を特定することができる。
【００３１】
RAT決定器32は、WWAN負荷関連情報16とともに、1つまたは複数のUE呼確立規則34を用いて、呼確立判断36を生成することができる。呼確立判断36は、その判断に基づいて(たとえば、UE呼確立規則34およびWWAN負荷関連情報16に少なくとも部分的に基づいて)、WWANアクセスノード18またはWLANアクセスノード30のいずれかにおいて呼確立構成要素20に呼を確立するように指示することができる。
【００３２】
先に言及されたように、一態様では、UE12は、WWANアクセスノード18からメッセージ38を受信することができ、メッセージ38はWWAN負荷関連情報16を含む。たとえば、第1の事例では、メッセージ38は、1つまたは複数のWWAN負荷関連パラメータ40の形でWWAN負荷関連情報16を有するブロードキャストメッセージとすることができる。たとえば、WWAN負荷関連パラメータ40は、限定はしないが、ダウンリンク(DL)リソース利用率、アップリンク(UP)雑音上昇もしくは負荷率、DL/ULスループットパラメータ、現在のユーザ数パラメータ、利用可能電力値、いくつかの主同期コード、低負荷インジケータ、中負荷インジケータおよび高負荷インジケータのような相対負荷インジケータ、単一のビットの値が負荷状態または無負荷状態を指示するような単一のビット、および/または呼をWWANアクセスノード18において確立するか、WLANアクセスノード30において確立するか関する何らかの他の指示のうちの1つまたは複数を含むことができる。
【００３３】
第1の事例では、呼確立判断36を生成するために、1つまたは複数のUE呼確立規則34を用いるとき、RAT決定器32が入力として1つまたは複数のWWAN負荷関連パラメータ40を利用する。たとえば、RAT決定器32は、1つまたは複数のUE呼確立規則34を用いて、1つまたは複数のWWAN負荷関連パラメータ40を対応するパラメータしきい値と比較し、WWANアクセスノード18が、呼確立をWLANアクセスノード30にオフロードするように指示するほど十分に高い負荷を有するか否かを判断することができる。別の例では、UE呼確立規則34は、呼確立をWLANアクセスノード30にオフロードするか否かを指示するしきい値と比較することができる出力値を生成するために、1つまたは複数のWWAN負荷関連パラメータ40を重み付けする関数とすることができる。
【００３４】
第2の事例では、たとえば、メッセージ38は、リダイレクションコマンド42の形でWWAN負荷関連情報16を有するブロードキャストまたはユニキャストメッセージとすることができる。たとえば、リダイレクションコマンド42は、呼確立をWLANアクセスノード30で生じるようにリダイレクトする明示的なコマンドとすることができる。その場合に、UE呼確立規則34の適用は、リダイレクションコマンド42を認識し、呼確立がWLANアクセスノード30で生じるようにする呼確立判断36を生成できるように、任意の他の検討事項を無効にすることを含むことができる。
【００３５】
第2の事例では、たとえば、UE12は最初に、呼確立要求メッセージ44において、呼確立要求22をWWANアクセスノード18に送っている場合があり、そのメッセージは、アクセスノード検出器28によって特定された1つまたは複数のWLANアクセスノード特性46を含むことができる。たとえば、1つまたは複数のWLANアクセスノード特性46は、限定はしないが、WLANアクセスノード識別子、WLANアクセスノード受信信号強度、WLANアクセスノードサービス品質、WLANアクセスノード利用可能サービスリストなどを含むことができる。場合によっては、呼確立要求メッセージ44は、通常のUE測定報告に含まれる場合がある受信信号強度または他のパラメータのような、1つまたは複数のWWANアクセスノード特性48も含むこともできる。その場合に、リダイレクションコマンド42は、WWANアクセスノード18が呼確立決定器50によって実行される機能を実行する結果として生成される場合がある。具体的には、呼確立決定器50は、自らが、1つまたは複数のWWAN負荷関連パラメータ40と組み合わせて、UE12から受信された1つまたは複数のWLANアクセスノード特性46および/または1つまたは複数のWWANアクセスノード特性48を用いる、1つまたは複数のWWAN呼確立規則52を使用して、呼確立判断54を生成するように構成することができる。呼確立判断54は、その呼をWWANアクセスノード18において確立するか、WLANアクセスノード30において確立するかを指示する。したがって、呼確立判断54が、その呼をWLANアクセスノード30において確立するように指示するとき、呼確立決定器50は、UE12にブロードキャストまたはユニキャストされることになるリダイレクションコマンド42を含むメッセージ38を生成する。
【００３６】
たとえば、1つまたは複数のWWAN負荷関連パラメータ40の形をとるか、またはリダイレクションコマンド42の形をとるWWAN負荷関連情報16のいずれの場合でも、本装置および方法によれば、WWAN負荷関連情報16は動的に可変であることに留意されたい。一例において、WWAN負荷関連情報16は、WWANアクセスノード18の現在の負荷に基づく状態に応じて動的に可変にすることができる。そのような場合に、本装置および方法は、リアルタイムまたは概ねリアルタイムに、かつ高度に構成可能および極めて柔軟に、WWANアクセスノード18における呼確立の制御を提供することができる。
【００３７】
したがって、本装置および方法のこれまでの態様に基づいて、UE12は、RAN支援呼確立構成要素14を介して、WWANアクセスノード18におけるWWAN負荷関連情報16に少なくとも部分的に基づいて、UE12のための呼確立を動的に制御するように構成することができ、それにより、WLANアクセスノード30のような他のアクセスノードへの呼確立のオフロードを極めて柔軟に制御できるようになる。
【００３８】
図2を参照すると、呼確立を制御する方法200の複数の態様を、図1のWWANアクセスノード18および/またはWLANアクセスノード30と通信するUE12によって実行することができる。より詳細には、方法200の複数の態様は、呼確立構成要素20、アクセスノード検出器28および/またはRAT決定器32を含む、RAN支援呼確立構成要素14によって実行することができる。
【００３９】
210において、方法200は、ユーザ機器において、呼を確立することを決定することを含む。たとえば、上記のように、RAN支援呼確立構成要素14および/または呼確立構成要素20は、呼確立要求22に基づいて、呼を確立することを決定するように構成することができる。
【００４０】
220において、方法200は、ワイヤレスローカルエリアネットワーク(WLAN)アクセスノードを検出することを含む。たとえば、RAN支援呼確立構成要素14および/またはアクセスノード検出器28は、たとえば、802.11xタイプ標準規格(参照することによりその全体が本明細書に援用される)に従って、WLANアクセスノード30を能動的にまたは受動的に検出するように構成することができる。
【００４１】
230において、方法200は、ワイヤレスワイドエリアネットワーク(WWAN)アクセスノードからWWAN負荷関連情報を受信することを含む。たとえば、UE12は、送受信機または受信機のような通信構成要素を含むことができ、通信構成要素は、RAN支援呼確立構成要素14および/またはアクセスノード検出器28とともに、WWAN負荷関連情報16を含むメッセージ38のようなメッセージを受信するように動作する。上記のように、WWAN負荷関連情報16は、たとえば、WWAN負荷関連パラメータ40および/またはリダイレクションコマンド42のような、特有の、または相対的な負荷パラメータまたは1つもしくは複数のビットとすることができる。一態様では、負荷関連情報を受信することは、DLリソース利用率、UL雑音上昇もしくは負荷率、DL/ULスループットパラメータ、現在のユーザ数パラメータ、利用可能電力値、および/またはいくつかの主同期コードを受信することを含むことができる。一態様では、負荷関連情報を受信することは、低負荷インジケータ、中負荷インジケータおよび/または高負荷インジケータとすることができる相対負荷インジケータを受信することを含むことができる。一態様では、負荷関連情報を受信することは、負荷状態または無負荷状態を指示する値を有する単一のビットを受信することを含むことができる。一態様では、負荷関連情報を受信することは、WWANアクセスノード18における負荷関連情報に基づいて時間とともに変化する動的なインジケータを受信することを含むことができる。
【００４２】
一態様では、負荷関連情報を受信することは、WLANアクセスノード30との呼を確立することを指示するリダイレクションコマンド42を受信することを含むことができる。その態様では、UE12は、WLANアクセスノード30から受信された信号に関連付けられるWLANアクセスノード特性46を求め、WLANアクセスノード特性46を含む呼確立要求メッセージ38をWWANアクセスノード18に転送するように構成することができ、それにより、呼確立要求メッセージ38に応答して、かつWWANアクセスノード18における1つまたは複数のWWAN負荷関連パラメータ40に基づいて、UE12はリダイレクションコマンド42を受信する。その態様では、WLANアクセスノード特性46を含む呼確立要求メッセージ38を転送することは、呼確立要求メッセージ38において、上記のTable 1(表1)に記述されるような、1つまたは複数の付加情報要素(IE)を転送することを含むことができる。
【００４３】
240において、方法200は、ユーザ機器呼確立規則に基づいて、かつWWAN負荷関連情報に基づいて、その呼をWWANアクセスノードにおいて確立するか、WLANアクセスノードにおいて確立するかを判断することを含む。たとえば、RAN支援呼確立構成要素14および/またはRAT決定器32は、呼確立判断36を生成するために、WWAN負荷関連情報16を1つまたは複数のUE呼確立規則34に適用するように構成することができる。たとえば、ある場合には、1つまたは複数のUE呼確立規則34は1つまたは複数のしきい値を含むことができ、WWANアクセスノード18の負荷状態を判断し、結果として、WLANアクセスノード30への呼確立を指示するか否かを判断するために、1つまたは複数のWWAN負荷関連パラメータ40を比較するか、または重み付けすることができる。さらに、たとえば、別の事例では、1つまたは複数のUE呼確立規則34は、リダイレクションコマンド42を受信すると、他の検討事項を無効にし、それに応答して、WLANアクセスノード30への呼確立を指示する規則またはポリシーを含むことができる。
【００４４】
一態様では、UE呼確立規則34に基づいて呼をWWANアクセスノード18において確立するか、WLANアクセスノード30において確立するかを判断することは、セルごとに、UEごとに、またはサービスごとに判断することを含むことができる。言い換えると、WWAN負荷関連情報16および1つまたは複数のUE呼確立規則34は、UE特有(たとえば、所与のUEにのみ適用可能)、セル特有(たとえば、所与のセル内のすべてのUEに適用可能)、および/またはサービス特有(たとえば、非遅延許容サービスまたは遅延許容サービスなどの特定のサービス品質クラスに適用可能であるか、または基づく)とすることができる。一態様では、呼を確立するか否か判断することは、UE12がアイドルモードにあるときにパケット交換(PS)呼を確立することを判断することか、またはUE12が接続モードにあるときに、UE12において新たな呼を確立することを判断することを含むことができる。
【００４５】
一態様では、WWANアクセスノード18において呼を確立するか否かを判断することは、負荷関連情報がセルラー負荷しきい値を満たすか否かを判断することと、WWAN負荷関連情報16がセルラー負荷しきい値を満たすか否かに基づいて、WWANアクセスノード18で呼を確立するか、または確立しないこととを含むことができる。その態様では、第1の例によれば、UE12は、WLAN負荷情報を入手し、WLAN負荷関連情報がWLAN負荷しきい値を満たすか否かを判断するように構成することもでき、それにより、WWANアクセスノード18において呼を確立するか、WLANアクセスノード30において呼を確立するかを判断することは、WWAN負荷関連情報16がセルラー負荷しきい値を満たすか否かに基づいて、かつWLAN負荷関連情報がWLAN負荷しきい値を満たすか否かに基づいて、WWANアクセスノード18で呼を確立するか、または呼を確立しないことを含むことができる。その態様では、第2の例によれば、UE12は、WWAN品質情報およびWLAN品質情報を入手し、WWAN品質情報およびWLAN品質情報がそれぞれWWAN品質しきい値およびWLAN品質しきい値を満たすか否かを判断するように構成することができ、それにより、その呼をWWANアクセスノードにおいて確立するか、WLANアクセスノードにおいて確立するかを判断することは、WWAN品質情報およびWLAN品質情報がそれぞれWWAN品質しきい値およびWLAN品質しきい値を満たすか否かに基づいて、WWANアクセスノード18で呼を確立するか、または確立しないことを含むことができる。
【００４６】
場合によっては、250において、その方法200は、その判断に基づいて、その呼をWWANアクセスノードまたはWLANアクセスノードにおいて確立することを含む。たとえば、RAN支援呼確立構成要素14および/または呼確立構成要素20は、WLANアクセスノード30またはWWANアクセスノード18のうちの判断された方において呼を確立するように構成することができる。
【００４７】
方法200の態様は、UEを中心にした動作、またはネットワークを中心にした動作とすることができることに留意されたい。言い換えると、方法200の複数の態様が、WWANアクセスノード18から受信された1つまたは複数のWWAN負荷関連パラメータ40のようなWWAN負荷関連情報16に基づいて、UE12が呼確立判断を行うことができるという点で、UEを中心とすることができる。方法200の複数の態様が、UE12がWWANアクセスノード18での呼確立を要求し、その要求に1つまたは複数のWLANアクセスノード30の1つまたは複数のWLANアクセスノード特性46を含むが、WWANアクセスノード18が、代わりに、たとえば、リダイレクションコマンド42に基づいて、WLANアクセスノード30のうちの特定の1つとの呼確立を再試行するようにUE12に明示的に指示することができるという意味で、ネットワークを中心にすることができる。
【００４８】
図3を参照すると、呼確立を制御する方法300の態様が、特に、呼設定時にネットワークに基づくWWANからWLANへのリダイレクションとすることができる。方法300の態様が、図1のWWANアクセスノード18および/またはWLANアクセスノード30と通信するUE12によって実行される場合がある。より詳細には、方法300の複数の態様は、呼確立構成要素20、アクセスノード検出器28および/またはRAT決定器32を含む、RAN支援呼確立構成要素14によって実行することができる。
【００４９】
310において、方法300は、ユーザ機器において、呼を確立することを決定することができる。たとえば、RAN支援呼確立構成要素14および/または呼確立構成要素20は、呼確立要求22に基づいて呼を確立することを決定するように構成することができる。
【００５０】
320において、方法300は、WLANアクセスノードから受信された信号に関連付けられるWLANアクセスノード特性を求めることを含む。たとえば、RAN支援呼確立構成要素14および/またはアクセスノード検出器28は、WLANアクセスノードを能動的に、または受動的に走査することに基づいて、1つまたは複数のWLANアクセスノード特性46を入手するように構成することができる。
【００５１】
330において、方法300は、WLANアクセスノード特性を含む、呼確立要求をWWANアクセスノードに転送することを含む。たとえば、RAN支援呼確立構成要素14および/または呼確立構成要素20は、1つまたは複数のWLANアクセスノード特性46を含む呼確立要求メッセージ44を生成し、WWANアクセスノード18に送信するように構成することができる。場合によっては、呼確立要求メッセージ44は、受信された信号に基づいてWWANアクセスノード18の特性またはパラメータを測定または特定することによって、たとえば、アクセスノード検出器28および/またはUE12の別の通信構成要素、たとえば、送受信機または受信機によって入手される、1つまたは複数のWWANアクセスノード特性48を含むこともできる。
【００５２】
340において、方法300は、呼確立要求をWLANアクセスノードにリダイレクトするためのリダイレクトコマンドを受信することを含む。たとえば、RAN支援呼確立構成要素14、呼確立構成要素20および/または別の通信構成要素、たとえば、送受信機または受信機は、リダイレクションコマンド42の形でWWAN負荷関連情報16を含むことができるメッセージ38を受信するように構成することができる。メッセージ38を受信するのに応答して、RAN支援呼確立構成要素14、RAT決定器32および/または呼確立構成要素20は、たとえば、他のUE呼確立規則34のような他の検討事項を無視し、呼確立をWLANアクセスノード30で生じるように指示するように構成することができる。一態様では、WWANアクセスノード18における呼確立決定器50が、WWANアクセスノード18の現在の負荷が、WLANアクセスノード30へのUE12の呼確立要求のリダイレクションが正当化されるほど十分に高いと判断するのに応答して、WWANアクセスノード18は、リダイレクションコマンド42を含む呼確立要求メッセージ38をUE12に送信するように構成することができる。
【００５３】
場合によっては、350において、方法300は、リダイレクションコマンドに応答して、WLANアクセスノードで呼を確立することを含む。たとえば、RAN支援呼確立構成要素14および/または呼確立構成要素20は、UE12がリダイレクションコマンド42を受信するのに応答して、WLANアクセスノード30において呼を確立するように構成することができる。
【００５４】
図4は、処理システム414を利用する装置400のハードウェア実施態様の一例を示すブロック図であり、装置400は、図1のRAN支援呼確立構成要素14を含むUE12、および/または同じく図1の呼確立決定器50を含むWWANアクセスノード18とすることができる。この例では、処理システム414は、バス402によって全般的に表されるバスアーキテクチャで実装され得る。バス402は、処理システム414の具体的な用途および全体的な設計制約に応じて、任意の数の相互接続するバスおよびブリッジを含み得る。バス402は、処理システム414の特定の適用例および全体的な設計制約に応じて、任意の数の相互接続するバスおよびブリッジを含むことができる。バス402は、プロセッサ404によって包括的に表される1つまたは複数のプロセッサ、およびコンピュータ可読媒体406によって包括的に表されるコンピュータ可読媒体を含む種々の回路を互いにリンクさせる。処理システム414が図1のUE12である一態様では、バス402は、呼確立構成要素20、アクセスノード検出器28およびRAT決定器32を含むRAN支援呼確立構成要素14も、互いに、かつプロセッサ404およびコンピュータ可読媒体406にリンクさせる。処理システム414がWWANアクセスノード18である一態様では、バス402は、呼確立決定器50もプロセッサ404およびコンピュータ可読媒体406にリンクさせる。それに加えて、またはその代わりに、呼確立構成要素20、アクセスノード検出器28およびRAT決定器32を含むRAN支援呼確立構成要素14の機能、および/または呼確立決定器50の機能は、プロセッサ404およびコンピュータ可読媒体406のいずれか一方または任意の組合せによって実施される場合もある。
【００５５】
バス402は、タイミングソース、周辺機器、電圧調整器、および電力管理回路など、様々な他の回路をリンクさせることもでき、これらの回路は当技術分野でよく知られており、したがって、これ以上は説明しない。バスインターフェース408は、バス402と送受信機410との間にインターフェースを提供する。送受信機410は、送信媒体上の様々な他の装置と通信するための手段を提供する。また、装置の性質に応じて、ユーザインターフェース412(たとえば、キーパッド、ディスプレイ、スピーカー、マイクロフォン、ジョイスティックなど)も設けられ得る。
【００５６】
プロセッサ404は、バス402の管理、およびコンピュータ可読媒体406上に記憶されたソフトウェアの実行を含む全般的な処理を受け持つ。ソフトウェアがプロセッサ404によって実行されるとき、処理システム414は、任意の特定の装置、たとえば、図1のUE12および/または同じく図1のWWANアクセスノード18のための本明細書において説明された種々の機能を実行する。コンピュータ可読媒体406は、ソフトウェアを実行するときにプロセッサ404によって操作されるデータを記憶するために使用される可能性もある。
【００５７】
本開示全体にわたって提示される様々な概念は、広範な電気通信システム、ネットワークアーキテクチャ、および通信規格にわたって実装され得る。
【００５８】
図5を参照すると、限定されるものではないが、例として、本開示の態様は、W-CDMAエアインターフェースを使用するUMTSシステム500を参照して示される。UMTSネットワークは、コアネットワーク(CN)504、ノードB508を含むUMTS Terrestrial Radio Access Network(UTRAN)502、およびユーザ機器(UE)510の3つの相互作用する領域を含む。たとえば、UE510およびノードB508はそれぞれ、図1のRAN支援呼確立構成要素14を含むUE12、および/または同じく図1の呼確立決定器50を含むWWANアクセスノード18と同じとすることができるか、または類似とすることができる。この例では、UTRAN502は、電話、ビデオ、データ、メッセージング、放送、および/または他のサービスを含む様々なワイヤレスサービスを提供する。UTRAN502は、無線ネットワークコントローラRNC506などのそれぞれの無線ネットワークコントローラ(RNC)によって各々制御される、無線ネットワークサブシステム(RNS)507などの複数の無線ネットワークサブシステム(RNS)を含み得る。ここで、UTRAN502は、本明細書で説明するRNC506およびRNS507に加えて、任意の数のRNC506およびRNS507を含むことができる。RNC506は、とりわけ、RNS507内の無線リソースを割り当て、再構成し、解放することを受け持つ装置である。RNC506は、任意の適切なトランスポートネットワークを使用する、直接の物理接続、仮想ネットワークなど様々なタイプのインターフェースを介して、UTRAN502中の他のRNC(図示せず)に相互接続され得る。
【００５９】
UE510とノードB508との間の通信は、物理(PHY)層および媒体アクセス制御(MAC)層を含むものと見なされ得る。さらに、それぞれのノードB508によるUE510とRNC506との間の通信は、無線リソース制御(RRC)層を含むものと見なされ得る。本明細書では、PHY層は、レイヤ1と見なされ、MAC層は、レイヤ2と見なされ、RRC層は、レイヤ3と見なされ得る。以下の情報は、3GPP RRCプロトコル仕様において導入された専門用語を使用することができる。以下、情報は、参照により本明細書に援用されるRRC Protocol Specification、3GPP TS 25.331 v9.1.0において導入される用語を使用する。
【００６０】
RNS507によってカバーされる地理的領域が、いくつかのセルに分割され、無線トランシーバ装置が各セルにサービスすることができる。無線トランシーバ装置は、通常、UMTS用途ではノードBと呼ばれるが、当業者によって、基地局(BS)、トランシーバ基地局(BTS)、無線基地局、無線トランシーバ、トランシーバ機能、基本サービスセット(BSS)、拡張サービスセット(ESS)、アクセスポイント(AP)、または何らかの他の適切な用語で呼ばれることもある。明快にするために、各RNS507に3つのノードB508が示されているが、RNS507は、任意の数のワイヤレスノードBを含むことができる。ノードB508は、ワイヤレスアクセスポイントを任意の数のモバイル装置のためのCN504に提供する。モバイル装置の例には、携帯電話、スマートフォン、セッション開始プロトコル(SIP)電話、ラップトップ、ノートブック、ネットブック、スマートブック、携帯情報端末(PDA)、衛星ラジオ、全地球測位システム(GPS)デバイス、マルチメディアデバイス、ビデオ装置、デジタルオーディオプレーヤ(たとえば、MP3プレーヤなど)、カメラ、ゲーム機、または任意の他の類似の機能デバイスなどがある。モバイル装置は、通常、UMTS適用例ではUEと呼ばれるが、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、端末、ユーザエージェント、モバイルクライアント、クライアント、またはいくつかの他の適切な用語で呼ばれることもある。UMTSシステムでは、UE510は、ネットワークへのユーザのサブスクリプション情報を含む汎用加入者識別モジュール(USIM)511をさらに含み得る。説明のために、1つのUE510がいくつかのノードB508と通信しているように示される。順方向リンクとも呼ばれるDLは、ノードB508からUE510への通信リンクを指し、逆方向リンクとも呼ばれるULは、UE510からノードB508への通信リンクを指す。
【００６１】
CN504は、UTRAN502など1つまたは複数のアクセスネットワークとインターフェースをとる。図示のように、CN504は、GSM（登録商標）コアネットワークである。しかしながら、当業者が認識するように、GSM（登録商標）ネットワーク以外のタイプのCNへのアクセスをUEに提供するために、本開示全体にわたって提示される様々な概念を、RANまたは他の適切なアクセスネットワークにおいて実装することができる。
【００６２】
CN504は、回線交換(CS)領域およびパケット交換(PS)領域を含む。回線交換要素のいくつかは、モバイルサービス交換センター(MSC)、ビジターロケーションレジスタ(VLR)、およびゲートウェイMSCである。パケット交換要素は、サービングGPRSサポートノード(SGSN)、およびゲートウェイGPRSサポートノード(GGSN)を含む。EIR、HLR、VLR、およびAuCのようないくつかのネットワーク要素は、回線交換ドメインとパケット交換ドメインの両方によって共有され得る。図示の例では、CN504は、MSC512およびGMSC514によって回線交換サービスをサポートする。いくつかの用途では、GMSC514は、メディアゲートウェイ(MGW)とも呼ばれ得る。RNC506などの1つまたは複数のRNCが、MSC512に接続され得る。MSC512は、呼設定、呼ルーティング、およびUEモビリティ機能を制御する装置である。MSC512は、UEがMSC512のカバレッジエリア内にある間に加入者関連の情報を格納するVLRも含む。GMSC514は、UEが回線交換ネットワーク516にアクセスするためのゲートウェイを、MSC512を通じて提供する。GMSC514は、特定のユーザが加入したサービスの詳細を反映するデータなど加入者データを格納する、ホームロケーションレジスタ(HLR)515を含む。HLRは、加入者に固有の認証データを格納する、認証センター(AuC)とも関連付けられている。特定のUEについて、呼が受信されると、GMSC514は、UEの位置を決定するためにHLR515に問い合わせ、その位置をサービスする特定のMSCに呼を転送する。
【００６３】
CN504はまた、サービングGPRSサポートノード(SGSN)518およびゲートウェイGPRSサポートノード(GGSN)520によって、パケットデータサービスをサポートする。汎用パケット無線サービスを表すGPRSは、標準の回線交換データサービスで可能なものよりも速い速度でパケットデータサービスを提供するよう設計されている。GGSN520は、パケットベースネットワーク522へのUTRAN502の接続を提供する。パケットベースネットワーク522は、インターネット、プライベートデータネットワーク、または何らかの他の適切なパケットベースネットワークである可能性がある。GGSN520の主要機能は、UE510にパケットベースネットワーク接続を提供することである。データパケットは、MSC512が回線交換ドメインにおいて実行するのと同じ機能をパケットベースドメインにおいて主に実行するSGSN518を介して、GGSN520とUE510との間で転送され得る。
【００６４】
UMTSのエアインターフェースは、スペクトラム拡散直接シーケンス符号分割多元接続(DS-CDMA)システムを利用してよい。スペクトラム拡散DS-CDMAは、チップと呼ばれる一連の疑似ランダムビットとの乗算によって、ユーザデータを拡散させる。UMTSの「広帯域」W-CDMAエアインターフェースは、そのような直接シーケンススペクトラム拡散技術に基づいており、さらに周波数分割複信(FDD)を必要とする。FDDは、ノードB508とUE510との間のULおよびDLに異なる搬送周波数を使用する。DS-CDMAを利用し、時分割複信(TDD)を使用するUMTSの別のエアインターフェースは、TD-SCDMAエアインターフェースである。本明細書で説明される様々な例は、W-CDMAエアインターフェースを指し得るが、基礎をなす原理はTD-SCDMAエアインターフェースに等しく適用可能であり得ることを、当業者は理解するだろう。
【００６５】
HSPAエアインターフェースは、スループットの向上および遅延の低減を支援する、3G/W-CDMAエアインターフェースに対する一連の拡張を含む。前のリリースに対する他の修正には、HSPAが、ハイブリッド自動再送要求(HARQ)、チャネル送信の共有、ならびに適応変調および適応符号化を利用する。HSPAを定義する規格は、HSDPA(高速ダウンリンクパケットアクセス)およびHSUPA(高速アップリンクパケットアクセス、拡張アップリンクまたはEULとも呼ばれる)を含む。
【００６６】
HSDPAは、高速ダウンリンク共有チャネル(HS-DSCH)を、トランスポートチャネルとして利用する。HS-DSCHは、高速物理ダウンリンク共有チャネル(HS-PDSCH)、高速共有制御チャネル(HS-SCCH)、および高速専用物理制御チャネル(HS-DPCCH)という、3つの物理チャネルによって実装される。
【００６７】
これらの物理チャネルの中でも、HS-DPCCHは、対応するパケット送信の復号が成功したかどうかを示すための、HARQ ACK/NACKシグナリングをアップリンクで搬送する。すなわち、ダウンリンクに関して、UE510は、ダウンリンク上のパケットを正常に復号したかどうかを示すために、HS-DPCCHを通じてフィードバックをノードB508に与える。
【００６８】
HS-DPCCHはさらに、変調方式と符号化方式の選択、およびプリコーディングの重みの選択に関して、ノードB508が正しい決定を行うのを支援するための、UE510からのフィードバックシグナリングを含み、このフィードバックシグナリングはCQIおよびPCIを含む。
【００６９】
「HSPA Evolved」またはHSPA+は、MIMOおよび64-QAMを含むHSPA規格の進化形であり、スループットの増大およびパフォーマンスの向上を可能にする。すなわち、本開示のある態様では、ノードB508および/またはUE510は、MIMO技術をサポートする複数のアンテナを有し得る。MIMO技術の使用により、ノードB508は空間領域を活用して、空間多重化、ビームフォーミング、および送信ダイバーシティをサポートすることができる。
【００７０】
多入力多出力(MIMO)は、マルチアンテナ技術、すなわち複数の送信アンテナ(チャネルへの複数の入力)および複数の受信アンテナ(チャネルからの複数の出力)を指す際に一般に使用される用語である。MIMOシステムは一般にデータ伝送パフォーマンスを高め、ダイバーシティ利得がマルチパスフェージングを低減させて伝送品質を高めること、および空間多重化利得がデータスループットを向上させることを可能にする。
【００７１】
空間多重化は、同じ周波数で同時に様々なデータストリームを送信するために使用され得る。データストリームは、データレートを上げるために単一のUE510に送信されてよく、または全体的なシステム容量を拡大するために複数のUE510に送信されてもよい。これは、各データストリームを空間的にプリコーディングし、次いで空間的にプリコーディングされた各ストリームをダウンリンクで異なる送信アンテナを介して送信することによって達成される。空間的にプリコーディングされたデータストリームは、様々な空間シグネチャを伴いUE510に到着し、これによりUE510の各々は、当該UE510に向けられた1つまたは複数のデータストリームを回復することができる。アップリンク上では、各UE510は、1つまたは複数の空間的にプリコーディングされたデータストリームを送信することができ、これによりノードB508は空間的にプリコーディングされた各データストリームのソースを識別することができる。
【００７２】
空間多重化は、チャネル状態が良好なときに使用され得る。チャネル状態がさほど好ましくないときは、ビームフォーミングを使用して送信エネルギーを1つもしくは複数の方向に集中させること、またはチャネルの特性に基づいて送信を改善することができる。これは、複数のアンテナを介して送信するデータストリームを空間的にプリコーディングすることによって達成され得る。セルの端において良好なカバレージを達成するために、シングルストリームビームフォーミング伝送が送信ダイバーシティと組み合わせて使用され得る。
【００７３】
一般に、n個の送信アンテナを利用するMIMOシステムの場合、同じチャネル化コードを利用して同じキャリアでn個のトランスポートブロックが同時に送信され得る。n個の送信アンテナで送られる異なるトランスポートブロックは、互いに同じまたは異なる変調方式および符号化方式を有し得ることに留意されたい。
【００７４】
一方、単入力多出力(SIMO)は一般に、単一の送信アンテナ(チャネルへの単一の入力)および複数の受信アンテナ(チャネルからの複数の出力)を利用するシステムを指す。それによって、SIMOシステムでは、単一のトランスポートブロックがそれぞれのキャリアで送られ得る。
【００７５】
図6を参照すると、UTRANアーキテクチャにおけるアクセスネットワーク600が示されており、それぞれ図1のRAN支援呼確立構成要素14を含むUE12、および/または同じく図1の呼確立決定器50を含むWWANアクセスノード18と同じか、または同じように構成することができる1つまたは複数のUE630、632、634、636、638、640と、1つまたは複数のノードB642、644、646とを含む。多元接続ワイヤレス通信システムは、セル602、604、および606を含む複数のセルラー領域(セル)を含み、セルの各々は、1つまたは複数のセクタを含み得る。複数のセクタはアンテナのグループによって形成することができ、各々のアンテナがセルの一部にあるUEとの通信を担う。たとえば、セル602において、アンテナグループ612、614、および616は、各々異なるセクタに対応し得る。セル604において、アンテナグループ618、620、および622は、各々異なるセクタに対応する。セル606において、アンテナグループ624、626、および628は、各々異なるセクタに対応する。セル602、604、および606は、各セル602、604、または606のうちの1つまたは複数のセクタと通信している可能性がある、いくつかのワイヤレス通信デバイス、たとえばユーザ機器またはUEを含み得る。たとえば、UE630および632は、ノードB642と通信している可能性があり、UE634および636は、ノードB644と通信している可能性があり、UE638および640は、ノードB646と通信している可能性がある。ここで、各ノードB642、644、646は、それぞれのセル602、604、および606の中のすべてのUE630、632、634、636、638、640のために、CN504(図5参照)へのアクセスポイントを提供するように構成される。
【００７６】
UE634がセル604における図示された位置からセル606に移動するとき、サービングセル変更(SCC)またはハンドオーバーが生じて、UE634との通信が、ソースセルと呼ばれ得るセル604からターゲットセルと呼ばれ得るセル606に移行することがある。UE634において、それぞれのセルに対応するノードBにおいて、無線ネットワークコントローラ506(図5参照)において、またはワイヤレスネットワークにおける別の適切なノードにおいて、ハンドオーバー手順の管理が生じ得る。たとえば、ソースセル604との呼の間、または任意の他の時間において、UE634は、ソースセル604の様々なパラメータ、ならびに、セル606、および602のような近隣セルの様々なパラメータを監視することができる。さらに、これらのパラメータの品質に応じて、UE634は、近隣セルの1つまたは複数との通信を保つことができる。この期間において、UE634は、UE634が同時に接続されるセルのリストであるアクティブセットを保持することができる(すなわち、ダウンリンク専用物理チャネルDPCHまたはフラクショナルダウンリンク専用物理チャネルF-DPCHを現在UE634に割り当てているUTRAセルが、アクティブセットを構成し得る)。
【００７７】
アクセスネットワーク600によって用いられる変調方式および多元接続方式は、導入されている特定の電気通信規格に応じて異なり得る。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA)およびTD-SCDMAなどのCDMAの他の変形態を用いるUniversal Terrestrial Radio Access(UTRA)、TDMAを用いるGlobal System for Mobile Communications(GSM（登録商標）)、ならびにOFDMAを用いるEvolved UTRA(E-UTRA)、Ultra Mobile Broadband(UMB)、IEEE 802.11(Wi-Fi)、IEEE 802.16(WiMAX)、IEEE 802.20、およびFlash-OFDMであり得る。UTRA、E-UTRA、UMTS、LTE、LTE Advanced、およびGSM（登録商標）は、3GPP団体による文書に記述されている。CDMA2000およびUMBは、3GPP2団体による文書に記述されている。実際の利用されるワイヤレス通信規格、多元接続技術は、具体的な用途およびシステム全体に課される設計制約に依存する。
【００７８】
無線プロトコルアーキテクチャは、具体的な用途に応じて様々な形態をとり得る。ここでHSPAシステムに関する一例を、図7を参照して提示する。
【００７９】
図7を参照すると、例示的な無線プロトコルアーキテクチャ700は、ユーザ機器(UE)またはノードB/基地局のユーザプレーン702および制御プレーン704に関係する。たとえば、アーキテクチャ700は、図1のRAN支援呼確立構成要素14を含むUE12、および/または同じく図1の呼確立決定器50を含むWWANアクセスノード18に含まれる場合がある。UEおよびノードBの無線プロトコルアーキテクチャ700は、レイヤ1 706、レイヤ2 708、およびレイヤ3 710という3つの層で示される。レイヤ1 706は最下層であり、様々な物理層の信号処理機能を実装する。その場合、レイヤ1 706は、物理層707を含む。レイヤ2(L2層)708は、物理層707の上にあり、物理層707を通じたUEとノードBとの間のリンクを担う。レイヤ3(L3レイヤ)710は、無線リソース制御(RRC)サブレイヤ715を含む。RRCサブレイヤ715は、UEとUTRANとの間のレイヤ3の制御プレーンシグナリングを扱う。
【００８０】
ユーザプレーンでは、L2層708は、媒体アクセス制御(MAC)サブレイヤ709、無線リンク制御(RLC)サブレイヤ711、およびパケットデータコンバージェンスプロトコル(PDCP)サブレイヤ713を含み、これらはネットワーク側のノードBで終端する。図示されていないが、UEは、ネットワーク側のPDNゲートウェイで終端するネットワーク層(たとえばIP層)と、接続の他の端部(たとえば、遠端のUE、サーバなど)で終端するアプリケーション層とを含めて、L2層708より上にいくつかの上位層を有し得る。
【００８１】
PDCPサブレイヤ713は、異なる無線ベアラと論理チャネルとの間の多重化を行う。PDCPサブレイヤ713はまた、無線送信のオーバーヘッドを低減するための上位層データパケットのヘッダ圧縮、データパケットの暗号化によるセキュリティ、および、ノードB間のUEのハンドオーバーのサポートを実現する。RLCサブレイヤ711は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ709は、論理チャネルとトランスポートチャネルとの間の多重化を行う。MACサブレイヤ709はまた、1つのセルの中の様々な無線リソース(たとえばリソースブロック)の複数のUEへの割り当てを担う。MACサブレイヤ709はまた、HARQ動作も担う。
【００８２】
図8を参照すると、UE850と通信するノードB810の一態様が示されており、UE850およびノードBは、本明細書において説明されるような、図1のRAN支援呼確立構成要素14を含むUE12、および/または同じく図1の呼確立決定器50を含むWWANアクセスノード18と同じ、または類似とすることができ、プロセッサまたはメモリ内で実施することができる。ダウンリンク通信では、送信プロセッサ820は、データ源812からデータを受信し、コントローラ/プロセッサ840から制御信号を受信することができる。送信プロセッサ820は、参照信号(たとえばパイロット信号)とともに、データ信号および制御信号のための様々な信号処理機能を提供する。たとえば、送信プロセッサ820は、誤り検出のための巡回冗長検査(CRC)コード、順方向誤り訂正(FEC)を容易にするための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号コンステレーションへのマッピング、直交可変拡散率(OVSF)による拡散、および、一連のシンボルを生成するためのスクランブリングコードとの乗算を、提供することができる。送信プロセッサ820のための、符号化方式、変調方式、拡散方式および/またはスクランブリング方式を決定するために、チャネルプロセッサ844からのチャネル推定が、コントローラ/プロセッサ840によって使われ得る。これらのチャネル推定は、UE850によって送信される参照信号から、またはUE850からのフィードバックから、導出され得る。送信プロセッサ820によって生成されたシンボルは、フレーム構造を作成するために、送信フレームプロセッサ830に与えられる。送信フレームプロセッサ830は、コントローラ/プロセッサ840からの情報とシンボルとを多重化することによって、このフレーム構造を作成し、一連のフレームが得られる。次いでこれらフレームは送信機832に与えられ、送信機832は、アンテナ834を通じたワイヤレス媒体によるダウンリンク送信のために、増幅、フィルタリング、およびフレームのキャリア上への変調を含む、様々な信号調整機能を提供する。アンテナ834は、たとえば、ビームステアリング双方向適応アンテナアレイまたは他の同様のビーム技術を含む、1つまたは複数のアンテナを含み得る。
【００８３】
UE850において、受信機854は、アンテナ852を通じてダウンリンク送信を受信し、その送信を処理してキャリア上へ変調されている情報を回復する。受信機854によって回復された情報は、受信フレームプロセッサ860に与えられ、受信フレームプロセッサ860は、各フレームを解析し、フレームからの情報をチャネルプロセッサ894に提供し、データ信号、制御信号、および参照信号を受信プロセッサ870に提供する。受信プロセッサ870は次いで、ノードB810中の送信プロセッサ820によって実行される処理の逆を実行する。より詳細には、受信プロセッサ870は、シンボルを逆スクランブルおよび逆拡散し、次いで変調方式に基づいて、ノードB810によって送信された、最も可能性の高い信号コンステレーション点を求める。これらの軟判定は、チャネルプロセッサ894によって計算されるチャネル推定に基づき得る。次いで、軟判定は、データ信号、制御信号、および参照信号を回復するために、復号されてデインターリーブされる。次いで、フレームの復号が成功したかどうか判定するために、CRCコードが確認される。次いで、復号に成功したフレームによって搬送されるデータがデータシンク872に与えられ、データシンク872は、UE850および/または様々なユーザインターフェース(たとえばディスプレイ)において実行されているアプリケーションを表す。復号に成功したフレームが搬送する制御信号は、コントローラ/プロセッサ890に与えられる。受信プロセッサ870によるフレームの復号が失敗すると、コントローラ/プロセッサ890は、確認応答(ACK)プロトコルおよび/または否定応答(NACK)プロトコルを用いて、そうしたフレームの再送信要求をサポートすることもできる。
【００８４】
アップリンクでは、データ源878からのデータおよびコントローラ/プロセッサ890からの制御信号が、送信プロセッサ880に与えられる。データ源878は、UE850で実行されているアプリケーションおよび様々なユーザインターフェース(たとえばキーボード)を表し得る。ノードB810によるダウンリンク送信に関して説明される機能と同様に、送信プロセッサ880は、CRCコード、FECを容易にするための符号化およびインターリービング、信号コンステレーションへのマッピング、OVSFによる拡散、および、一連のシンボルを生成するためのスクランブリングを含む、様々な信号処理機能を提供する。ノードB810によって送信される参照信号から、または、ノードB810によって送信されるミッドアンブル中に含まれるフィードバックから、チャネルプロセッサ894によって導出されるチャネル推定が、適切な符号化方式、変調方式、拡散方式、および/またはスクランブリング方式を選択するために、使われ得る。送信プロセッサ880によって生成されたシンボルは、フレーム構造を作成するために、送信フレームプロセッサ882に与えられる。送信フレームプロセッサ882は、コントローラ/プロセッサ890からの情報とシンボルとを多重化することによって、このフレーム構造を作成し、一連のフレームが得られる。次いでこのフレームは送信機856に与えられ、送信機856は、アンテナ852を通じたワイヤレス媒体によるアップリンク送信のために、増幅、フィルタリング、およびフレームのキャリア上への変調を含む、様々な信号調整機能を提供する。
【００８５】
アップリンク送信は、UE850において受信機機能に関して説明された方式と同様の方式で、ノードB810において処理される。受信機835は、アンテナ834を通じてアップリンク送信を受信し、その送信を処理してキャリア上へ変調されている情報を回復する。受信機835によって回復された情報は、受信フレームプロセッサ836に与えられ、受信フレームプロセッサ836は、各フレームを解析し、フレームからの情報をチャネルプロセッサ844に提供し、データ信号、制御信号、および参照信号を受信プロセッサ838に提供する。受信プロセッサ838は、UE850中の送信プロセッサ880によって実行される処理の逆を実行する。次いで、復号に成功したフレームによって搬送されるデータ信号および制御信号が、データシンク839およびコントローラ/プロセッサにそれぞれ与えられ得る。フレームの一部が、受信プロセッサによる復号に失敗すると、コントローラ/プロセッサ840は、確認応答(ACK)プロトコルおよび/または否定応答(NACK)プロトコルも用いて、そうしたフレームの再送信要求をサポートすることもできる。
【００８６】
コントローラ/プロセッサ840および890は、それぞれノードB810およびUE850における動作を指示するために使用され得る。たとえば、コントローラ/プロセッサ840および890は、タイミング、周辺インターフェース、電圧調整、電力管理、および他の制御機能を含む、様々な機能を提供することができる。メモリ842および892のコンピュータ可読媒体は、それぞれ、ノードB810およびUE850のためのデータおよびソフトウェアを記憶することができる。ノードB810におけるスケジューラ/プロセッサ846は、リソースをUEに割り当て、UEのダウンリンク送信および/またはアップリンク送信をスケジューリングするために、使われ得る。
【００８７】
W-CDMAシステムを参照して、電気通信システムのいくつかの態様を示してきた。当業者が容易に諒解するように、本開示全体にわたって説明される様々な態様は、他の電気通信システム、ネットワークアーキテクチャおよび通信規格に拡張され得る。
【００８８】
例として、様々な態様は、他のUMTS、たとえばTD-SCDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、Long Term Evolution(LTE)(FDD、TDD、またはこれら両方のモードによる)、LTE-Advanced(LTE-A)(FDD、TDD、またはこれら両方のモードによる)、CDMA2000、Evolution-Data Optimized(EV-DO)、Ultra Mobile Broadband(UMB)、IEEE 802.11(Wi-Fi)、IEEE 802.16(WiMAX)、IEEE 802.20、Ultra-Wideband(UWB)、Bluetooth（登録商標）、および/または他の適切なシステムを利用するシステムに拡張され得る。実際の利用される電気通信規格、ネットワークアーキテクチャ、および/または通信規格は、具体的な用途およびシステム全体に課される設計制約に依存する。
【００８９】
本開示の様々な態様によれば、要素または要素の一部分または要素の組合せを、1つまたは複数のプロセッサを含む「処理システム」で実装できる。プロセッサの例として、マイクロプロセッサ、マイクロコントローラ、デジタルシグナルプロセッサ(DSP)、フィールドプログラマブルゲートアレイ(FPGA)、プログラマブルロジックデバイス(PLD)、状態機械、ゲート論理回路、個別ハードウェア回路、および本開示全体にわたって説明する様々な機能を実施するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアはコンピュータ可読媒体上に存在し得る。コンピュータ可読媒体は、非一時的コンピュータ可読媒体である可能性がある。非一時的コンピュータ可読媒体は、例として、磁気記憶デバイス(たとえば、ハードディスク、フロッピー（登録商標）ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取ることができるソフトウェアおよび/または命令を記憶するための任意の他の適切な媒体を含む。また、コンピュータ可読媒体は、例として、搬送波、伝送路、ならびに、コンピュータがアクセスし読み取ることができるソフトウェアおよび/または命令を送信するための任意の他の適切な媒体も含み得る。コンピュータ可読媒体は、処理システムの中に存在する可能性があり、処理システムの外に存在する可能性があり、または処理システムを含む複数のエンティティに分散する可能性がある。コンピュータ可読媒体は、コンピュータプログラム製品で具現化され得る。例として、コンピュータプログラム製品は、パッケージング材料内のコンピュータ可読媒体を含み得る。当業者は、具体的な用途およびシステム全体に課される全体的な設計制約に応じて、本開示全体にわたって示される説明する機能を最善の形で実装する方法を認識するだろう。
【００９０】
開示した方法におけるステップの特定の順序または階層は例示的な処理を示していることを理解されたい。設計上の選好に基づいて、方法におけるステップの特定の順序または階層は再構成可能であることを理解されたい。添付の方法クレームは、サンプル的順序で様々なステップの要素を提示しており、クレーム内で明記していない限り、提示した特定の順序または階層に限定されるように意図されているわけではない。
【００９１】
上記の説明は、本明細書で説明される様々な態様を当業者が実施できるようにするために与えられる。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は1つまたは複数を意味する。項目の列挙「のうちの少なくとも1つ」という語句は、単一の要素を含め、それらの項目の任意の組合せを指す。たとえば、「a、bまたはcのうちの少なくとも1つ」は、「a」、「b」、「c」、「aおよびb」、「aおよびc」、「bおよびc」、「a、bおよびc」をカバーするよう意図されている。当業者が知っているか、後に知ることになる、本開示全体にわたって説明した様々な態様の要素と構造的かつ機能的に同等のものはすべて、参照により本明細書に明確に組み込まれ、請求項が包含するように意図されている。また、本明細書で開示する内容は、そのような開示が請求項で明記されているか否かにかかわりなく、公用のものとなるように意図されてはいない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【００９２】
10  ワイヤレス通信システム
12  ユーザ機器(UE)
14  RAT支援呼確立構成要素
16  WWAN負荷関連情報
18  ワイヤレスワイドエリアネットワーク(WWAN)アクセスノード
22  呼確立要求
24  インターネット
26  公衆交換電話網(PSTN)
28  アクセスノード検出器
30  ワイヤレスローカルエリアネットワーク(WLAN)アクセスノード
50  呼確立決定器
52  WWAN呼確立規則
54  呼確立判断
400  装置
402  バス
404  プロセッサ
406  コンピュータ可読媒体
408  バスインターフェース
410  送受信機
412  ユーザインターフェース
414  処理システム
500  UMTSシステム
502  UTRAN
504  コアネットワーク(CN)
506  RNC
507  RNS
508  ノードB
510  ユーザ機器(UE)
511  汎用加入者識別モジュール(USIM)
512  MSC
514  GMSC
515  ホームロケーションレジスタ(HLR)
516  回線交換ネットワーク
518  サービングGPRSサポートノード(SGSN)
520  ゲートウェイGPRSサポートノード(GGSN)
522  パケットベースネットワーク
600  アクセスネットワーク
602  セル
604  セル
606  セル
612  アンテナグループ
614  アンテナグループ
616  アンテナグループ
618  アンテナグループ
620  アンテナグループ
622  アンテナグループ
624  アンテナグループ
626  アンテナグループ
628  アンテナグループ
630  ユーザ機器(UE)
632  ユーザ機器(UE)
634  ユーザ機器(UE)
636  ユーザ機器(UE)
638  ユーザ機器(UE)
640  ユーザ機器(UE)
642  ノードB
644  ノードB
646  ノードB
700  無線プロトコルアーキテクチャ
702  ユーザプレーン
704  制御プレーン
706  レイヤ1
708  レイヤ2(L2層)
709  媒体アクセス制御(MAC)サブレイヤ
710  レイヤ3(L3層)
711  無線リンク制御(RLC)サブレイヤ
713  パケットデータコンバージェンスプロトコル(PDCP)サブレイヤ
715  無線リソース制御(RRC)サブレイヤ
810  ノードB
812  データ源
820  送信プロセッサ
830  送信フレームプロセッサ
832  送信機
834  アンテナ
835  受信機
836  受信フレームプロセッサ
838  受信プロセッサ
839  データシンク
840  コントローラ/プロセッサ
842  メモリ
844  チャネルプロセッサ
846  スケジューラ/プロセッサ
850  装置(UE)
852  アンテナ
854  受信機
856  送信機
860  受信フレームプロセッサ
870  受信プロセッサ
872  データシンク
878  データ源
880  送信プロセッサ
882  送信フレームプロセッサ
890  コントローラ/プロセッサ
892  メモリ
894  チャネルプロセッサ
【図１】
2015534421.tif 000004
【図２】
2015534421.tif 000005
【図３】
2015534421.tif 000006
【図４】
2015534421.tif 000007
【図５】
2015534421.tif 000008
【図６】
2015534421.tif 000009
【図７】
2015534421.tif 000010
【図８】
2015534421.tif 000011
【国際調査報告】
2015534421.tif 000012
2015534421.tif 000013
2015534421.tif 000014